(57)【要約】【課題】スポーツ吹矢練習用的において、矢を受けるマットの中央部分だけでなく、その外側部分の無駄な廃棄をなくす。【解決手段】マット２２全体が、中央マットＭａと、それを囲む４つの外側マットＭｂ〜Ｍｅで形成され、それらの各マットが、裏板３０の表面に設けられた保持手段３１により着脱自在に保持されているから、中央マットＭａの外側の領域に矢が集中した場合でも、その領域を含む外側マットのみを交換することで、マットの無駄な廃棄を防ぐことができる。【選択図】図２
2020134117.tif 000002
【特許請求の範囲】
【請求項１】
矢を受けるマットの一面側に同心円状の的表示がなされたスポーツ吹矢練習用的において、
前記マットが、前記的表示の中央部と重なりあう中央マットと、その中央マットを囲むように隙間なく配置された複数の外側マットとで形成されており、その中央マットと複数の外側マットとが裏板の表面に設けられた保持手段により着脱自在に保持されていることを特徴とするスポーツ吹矢練習用的。
【請求項２】
前記保持手段は、前記裏板の表面に設けられた接着剤または両面接着テープにより前記中央マットと複数の外側マットとを着脱自在に保持することを特徴とする請求項１記載のスポーツ吹矢練習用的。
【請求項３】
前記裏板には、前記中央マットを背面側から前面側に押し出すための穴が設けられていることを特徴とする請求項１または請求項２記載のスポーツ吹矢練習用的。
【請求項４】
前記中央マットの外形が正方形で、前記中央マットが、その４辺にそれぞれ接する外形長方形の４つの前記外側マットで囲まれていることを特徴とする請求項１〜３のいずれかに記載のスポーツ吹矢練習用的。
【発明の詳細な説明】
【技術分野】
【０００１】  この発明は、マットの一面側に的表示がなされたスポーツ吹矢練習用的において、一部分を交換することで繰り返し使用できるように考案された的である。
【背景技術】
【０００２】  図７に示す的１０は、スポーツ吹矢の練習用等に一般的に用いられているものであり、得点の大きい順に径が小さくなる円が同心に描かれた的シート１１が、矢を受けるマット１２の中央表面に貼り付けられており、的シート１１の中心を狙って放たれた矢がマット１２に刺さって抜け落ちないように保持する構造となっている。【０００３】  的シート１１はマット１２の表面に貼り付け可能な薄いシート状であって、練習者が代わるたびや得点確認が必要な時などに交換するが、マット１２は不具合が発生しない限り繰り返し使用する。【０００４】  マット１２は、矢が刺さって抜け落ちないような一定厚の軟性材（例えば発泡材）で構成されているが、矢が例えば３００回も当たると穴だらけに荒れてしまい、その荒れた領域に当たった矢が刺さらずに抜け落ちてしまう、所謂、跳ね矢の原因になる。マット自体は表だけでなく裏を使用することも可能であるが、それでも６００回ほどで使用不能となり、マット全体を新規なものに交換しなければならない。【０００５】  特に、練習者が熟練してくると、矢が当たる場所が的の中央部に集中するため、マットの外側部分はほとんど穴が開いていない状態にもかかわらず、肝心な中央部が使用不能となり廃棄しなければならなかった。【０００６】  これを解決する一つの方法として、図８のように、マット１２のうち、矢が集中して穴だらけになった中央部分を切り抜き、その切り拭いた部分に補修用マットＭｈを嵌め込む方法も考えられるが、切り抜いた部分に隙間なく嵌まる補修用マットＭｈを作成するのが面倒であった。【０００７】  また、矢が集中して傷みやすい部分が、マット１２の中央部分であることに着目して、図９の（ａ）、（ｂ）のように、予め、マット１２全体を、正方形や６角形の中央部Ｍａとその周りを囲む枠部Ｍｂとで構成し、中央部Ｍａだけを交換できる構造のものも実用化されている（例えば、Ｂｉｇ  Ｓｕｃｃｅｓｓ社製のスポーツ吹矢的）。
【先行技術文献】
【非特許文献】
【０００８】
【非特許文献１】ホームページ  ｗｗｗ．ｂｉｇ−ｓｕｃｃｅｓｓ．ｊｐ
【発明の概要】
【発明が解決しようとする課題】
【０００９】  しかしながら、前記したように、マット全体を中央部と枠部とに分割した的であっても、矢が当たる場所が、中央部だけでなく、枠部の一部に偏って発生する場合、枠部全体を交換しなければならず、やはり無駄が生じる。【００１０】  また、マットの中央部の外周形状と枠部の内周形状に誤差があると、中央部がきつくて入らず、マット表面に段差が発生したり、逆にマット間に隙間が生じて矢が刺さらない部分が発生する等の問題が起きる。したがって、マットの中央部と枠部について高い加工精度が要求され、コスト高になってしまう。【００１１】  本発明は、上記問題を解決して、マットの中央部だけでなく、その外側の領域についても無駄をなくし、格別高い加工精度も要求されない安価なスポーツ吹矢練習用的を提供することを目的としている。
【課題を解決するための手段】
【００１２】  前記目的を達成するために、本発明の請求項１記載のスポーツ吹矢練習用的は、
矢を受けるマットの一面側に同心円状の的表示がなされたスポーツ吹矢練習用的において、
前記マットが、前記的表示の中央部と重なりあう中央マットと、その中央マットを囲むように隙間なく配置された複数の外側マットとで形成されており、その中央マットと複数の外側マットとが裏板の表面に設けられた保持手段により着脱自在に保持されていることを特徴とする。【００１３】  また、本発明の請求項２のスポーツ吹矢練習用的は、請求項１記載のスポーツ吹矢練習用的において、
前記保持手段は、前記裏板の表面に設けられた接着剤または両面接着テープにより前記中央マットと複数の外側マットとを着脱自在に保持することを特徴とする。【００１４】  また、本発明の請求項３のスポーツ吹矢練習用的は、請求項１または請求項２記載のスポーツ吹矢練習用的において、
前記裏板には、前記中央マットを背面側から前面側に押し出すための穴が設けられていることを特徴とする。【００１５】  また、本発明の請求項４のスポーツ吹矢練習用的は、請求項１〜３のいずれかに記載のスポーツ吹矢練習用的において、
前記中央マットの外形が正方形で、前記中央マットが、その４辺にそれぞれ接する外形長方形の４つの前記外側マットで囲まれていることを特徴とする。
【発明の効果】
【００１６】  上記したように、本発明の請求項１のスポーツ吹矢練習用的は、マット全体が、中央マットと、それを囲む複数の外側マットとで形成され、それらの各マットが、裏板の表面に設けられた保持手段により着脱自在に保持されている構造であるから、矢が当たる確率の高い領域が、中央マットだけでなく、その外側の一部の領域に偏っているような場合でも、その領域が含まれる外側マットのみを交換すればよく、マット全体としての寿命が格段に延び、資源の無駄を減少できる。また、中央マットだけでなく、外側マットも複数に分割されており、しかもこれらの各マットを裏板に対して保持させることで、全体として一体化しているから、各マットを隙間の無い状態で組立てることができ、マット間の段差や隙間による跳ね矢の発生を抑制できる。【００１７】  また、請求項２のように、裏板の表面に設けられた接着剤あるいは両面接着テープにより中央マットと複数の外側マットとを着脱自在に保持するようにすれば、各マットの着脱が容易となり、マット全体の表面の高さを平坦に維持でき、矢が安定して刺さる。【００１８】  また、請求項３のように、裏板に、中央マットを背面側から前面側に押し出すための穴を設けておけば、中央マットの交換が極めて容易になる。【００１９】  また、請求項４のように、外形が正方形の中央マットが、その４辺にそれぞれ接する外形長方形の４つの外側マットで囲まれている構造であれば、全てのマットを、直線カット加工のみで、極めて容易に作成でき、製造コストを大幅に下げることができる。
【図面の簡単な説明】
【００２０】
【図１】  本発明の実施形態のスポーツ吹矢練習用的を示す図
【図２】  本発明の実施形態のスポーツ吹矢練習用的の分解図
【図３】  本発明の実施形態のマット部を示す図
【図４】  本発明の実施形態の中央マットを外す作業を示す図
【図５】  本発明の他の実施形態を示す図
【図６】  本発明の他の実施形態を示す図
【図７】  従来のスポーツ吹矢練習用的の例を示す図
【図８】  マットを補修する場合の説明図
【図９】  マットの中央部だけを交換できるスポーツ吹矢練習用的の例を示す図
【発明を実施するための形態】
【００２１】  以下、図面に基づいて本発明の実施の形態を説明する。
図１は本発明を適用したスポーツ吹矢練習用的（以下、単に的と記す）２０を正面側から見た図、図２は的２０の分解図、図３は的２０の要部（マット部）を正面、側面、背面から見た図である。
【００２２】  これらの図に示しているように、本発明の実施形態の的２０は、一辺が例えば２５ｃｍ程度の正方形の的シート２１、的シート２１より一回り大きい（例えば一辺が３２ｃｍ程度）の外形正方形のマット２２およびマット２２とほぼ同一外形の裏板３０により構成されている。
【００２３】  的シート２１の表面には、得点の大きい順に径が小さくなる円が同心に描かれ、背面側には粘着性物質（図示せず）が塗られており、マット２２の表面中央に貼り付けられる。
【００２４】  マット２２は、矢が刺さって抜け落ちない程度の一定厚さ（例えば４〜５ｃｍ程度）の軟性材（例えば発泡材）からなる中央マットＭａおよび４つの外側マットＭｂ〜Ｍｅによって構成され、マット２２より硬質の部材（プラスチックや合板等）からなる裏板３０の表面側に着脱自在に保持されている。
【００２５】  中央マットＭａは、一辺が例えば１６ｃｍ程度の正方形の外形を有しており、的シート２１の中心は、この中央マットＭａの中心とほぼ一致する状態で貼り付けられている。ここで、中央マットＭａはマット全体の中央にあって、その表面積はマット全体のほぼ１／４（＝２５％）に設定されている。これは熟練者が放つ矢が当たる領域が、マット全体の中心を含む２５％の領域にほぼ含まれることを前提としているためであるが、中央マットＭａの表面積を全体の２５％に限定する必要はなく、種々変更可能である。
【００２６】  外側マットＭｂ〜Ｍｅは、同一幅（例えば８ｃｍ）の長方形の外形を有し、中央マットＭａを囲むように隙間なく配置され、全体として中央マットＭａを囲む四角枠状に連続している。
【００２７】  この例では、中央マットＭａの上辺と下辺に接する外側マットＭｂ、Ｍｄの長さは、中央マットＭａの辺の長さ（例えば１６ｃｍ）に、外側マットの幅の２倍（例えば１６ｃｍ）を加えたものに等しく、中央マットＭａの右辺と左辺に接する外側マットＭｃ、Ｍｅの長さは、中央マットＭａの辺の長さに等しく設定されている。
【００２８】  これらの中央マットＭａと４つの外側マットＭｂ〜Ｍｅは、裏板３０の表面に設けられた保持手段３１により着脱自在に保持されている。ここで、保持手段３１は、例えば、裏板３０の表面に塗布された粘着性物質や裏板３０の表面に貼り付けられた両面接着テープ等の接着式である。
【００２９】  保持手段３１としては、上記接着式だけでなく、例えば裏板３０の表面から突出する複数のピンを各マットの背面側に刺して保持するピン方式等を含め、種々の方式が可能である。なお、このピン方式の場合、マット表面側からの矢の刺さりに影響がない程度の長さと太さのピンを用いる。
【００３０】  この裏板３０の中央部で中央マットＭａの背面の一部を露呈させる位置には、裏板３０に保持された中央マットＭａを背面側から表面側へ押し出すための穴３２が設けられており、この穴３２から中央マットＭａを表面側へ押し出すことで、中央マットＭａの交換が極めて簡単に行なえる。
【００３１】  上記構成の的２０を用いて、例えば熟練者がスポーツ吹矢の練習に用いた場合、外側マットＭｂ〜Ｍｅに比べて、格段に高い確率で中央マットＭａに矢が刺さることになり、中央マットＭａを交換する必要が生じる。
【００３２】  この中央マットＭａを交換する際には、図４に示しているように、的２０の背面側の裏板３０の穴３２から中央マットＭａを前面側に押し出して、裏板３０の保持手段３１による保持を解除することで、容易に中央マットＭａを外すことができる。そして、この外した中央マットＭａを裏返したものや、新しい中央マットＭａを元の位置に嵌め込めば、練習に使用できる。
【００３３】  なお、各外側マットＭｂ〜Ｍｅもそれぞれ裏板３０から外せるので、中央マットＭａを交換する際の隙間の調整も容易に行なえ、跳ね矢の原因となるマット間の段差や隙間の発生を未然に防止できる。
【００３４】  また、初心者が続けて練習すると、矢が当たる領域が的全体に分散し、中央マットＭａだけでなく、その外側の領域に当たる矢の数も増え、外側の特定の領域に矢が当たる確率が増えて、矢が刺さらなくなるケースが発生する。その場合、その特定の領域が含まれる外側マットを裏板３０から外して、それを裏返したものや、新しい外側マットを元の位置に取り付ければ、練習に使用できる。
【００３５】  このように、本実施形態の的２０では、マット２２全体が、中央マットＭａと、それを囲む複数の外側マットＭｂ〜Ｍｅとで形成され、それらの各マットが、裏板３０の表面に設けられた保持手段３１により着脱自在に保持されている構造であるから、矢が当たる確率の高い領域が、中央マットＭａだけでなく、その外側の一部の領域に偏っているような場合でも、その領域が含まれる外側マットのみを交換すればよく、マット全体としての寿命が格段に延び、資源の無駄を減少できる。
【００３６】  また、中央マットＭａだけでなく、外側マットＭｂ〜Ｍｅも複数に分割されており、しかもこれらの各マットを裏板３０に対して保持させることで、全体として一体化しているから、各マットを隙間の無い状態で組立てることができ、マット間の段差や隙間による跳ね矢の発生を抑制できる。
【００３７】  また、保持手段３１として、裏板３０の表面に設けられた接着剤あるいは両面接着テープにより各マットを着脱自在に保持するようにすれば、各マットの着脱が容易となり、マット全体の表面の高さを平坦に維持でき、矢が安定して刺さる。
【００３８】  また、裏板３０に、中央マットＭａを背面側から前面側に押し出すための穴３２を設けているから、頻度の高い中央マットＭａの交換を極めて容易に行なえる。
【００３９】  また、上記実施形態のように、外形が正方形の中央マットＭａが、その４辺にそれぞれ接する外形長方形の４つの外側マットＭｂ〜Ｍｅで囲まれて一体化されている分割構造であれば、全てのマットを直線カット加工のみで極めて容易に作成でき、製造コストを大幅に下げることができる。また、この実施形態では、幅が共通で長さが２種類の外側マットＭｂ〜Ｍｅを用いており、各外側Ｍｂ〜Ｍｅのそれぞれの外形は線対称であるから、同じ外側マットを裏返して再使用したり、長さが同じ外側マット間で交換して再使用することが可能である。
【００４０】  前記実施形態では、４つの外側マットＭｂ〜Ｍｅの長さが２種類の例であったが、図５に示すマット２２のように、幅および長さが等しい４つの外側マットＭｂ〜Ｍｅで、中央マットＭａを囲むように構成してもよく、このようにすれば、外側マットの外形を１種類にでき、製造コストをさらに下げることができる。また、前記したように同じ外側マットを裏返して再使用するだけでなく、全ての外側マット間で任意に交換して再使用することが可能である。
【００４１】  また、前記実施形態では、中央マットＭａの外形がマット全体に対して相似な正方形、各外側マットＭｂ〜Ｍｅの外形が長方形の例を示したが、中央マットＭａの外形や複数の外側マットの外形および数については、種々変更可能である。
【００４２】  例えば、図６の（ａ）のように、中央マットＭａの外形を、マット全体に対して相似な正方形を４５°回転させた形（菱形）とし、各外側マットＭｂ〜Ｍｅの外形を５角形にしてもよい。この場合も、図５の例と同様に、４つの外側Ｍｂ〜Ｍｅの外形はそれぞれ線対称であり、且つ全て同形であるから、同じ外側マットを裏返して再使用したり、全ての外側マット間で交換して再使用することが可能である。これは、マット外形が複雑化するが、中央マットの外形を、正８角形や正１２角形のように、角数が４の整数倍の正多角形にした場合も同様である。
【００４３】  また、図６の（ｂ）のように、中央マットＭａの外形を正６角形とし、４つの外側マットＭｂ〜Ｍｅの外形を５角形（台形）、２つの外側マットＭｆ、Ｍｇの外形を長方形にしてもよい。この場合、外側マットＭｂ〜Ｍｅのそれぞれの外形は線対称でないため、同じ外側マットを裏返して再使用することはできないが、これらの外側マット同士は、その境界部分に対して線対称であるので、互いに裏返して入れ換えれば再使用可能あり、２つの長方形の外側マットＭｆ、Ｍｇについては、それぞれが線対称であり、且つ互いに同形であるから、同じ外側マットを裏返して再使用したり、全ての外側マット間で交換して再使用することが可能である。
【００４４】  また、曲線加工が必要になるが、図６の（ｃ）のように、中央マットＭａの外形を円形とし、各外側マットＭｂ〜Ｍｅを、正方形の一つの隅部を円弧状の切欠いた外形形状にしてもよい。この場合も、各外側マットＭｂ〜Ｍｅの外形はそれぞれが線対称であり、且つ全て同形であるから、同じ外側マットを裏返して再使用したり、全ての外側マット間で交換して再使用することが可能である。
【００４５】  また、前記実施形態では、マット２２に的シート２１を貼り付けて構成される的の例を示したが、予めマットの表面に標的となる同心円の的表示を印刷等で直接施した的についても、本発明を適用できる。この場合、中央マットと外側マットの表面および背面に同心円の的表示を行なえばよい。
【符号の説明】
【００４６】  ２０……スポーツ吹矢練習用的、２１……的シート、２２……マット、３０……裏板、３１……保持手段、３２……穴、Ｍａ……中央マット、Ｍｂ〜Ｍｇ……外側マット
【図１】
2020134117.tif 000003
【図２】
2020134117.tif 000004
【図３】
2020134117.tif 000005
【図４】
2020134117.tif 000006
【図５】
2020134117.tif 000007
【図６】
2020134117.tif 000008
【図７】
2020134117.tif 000009
【図８】
2020134117.tif 000010
【図９】
2020134117.tif 000011